(57)【特許請求の範囲】
【請求項１】
前後方向へ延びて一方面が塗着面側で他方面が非塗着面側となるウエブ通路の両面に一方側及び他方側のノズル箱から気体を吹き付ける乾燥室の二つを隣接させた浮揚乾燥装置と、隣接する乾燥室の間に配置された蛇行修正装置とを備えた蛇行修正装置付き浮揚乾燥設備であって、
蛇行修正装置は、ウエブ通路の他方面に接触するように平行に配置された複数本のガイドロールと、これらガイドロールに対してウエブ通路の反対側に配置され、隣接するガイドロールの隙間を吸引状態とする吸引具と、ウエブ通路の一方面外側からウエブ通路の一方面に向かって気体を吹き付け、ウエブ通路にガイドロールの外周面に沿う巻掛け領域を形成させてウエブ通路と非接触になる巻掛け用気体吹付け具と、
これらガイドロール、吸引具及び巻掛け用気体吹付け具を左右方向に対して傾動させる傾動操作具とを備えた
ことを特徴とする蛇行修正装置付き浮揚乾燥設備。
【請求項２】
前記巻掛け用気体吹付け具が、通路上流側のガイドロールに接するウエブ通路の巻掛け領域における上流側縁部近辺箇所へ向かって気体を吹き付ける吹出し口と、通路下流側のガイドロールに接するウエブ通路の巻掛け領域における下流側縁部近辺箇所へ向かって気体を吹き付ける吹出し口と、隣接するガイドロールの間に向かって気体を吹き付ける中間の吹出し口とを備えている
請求項１に記載の蛇行修正装置付き浮揚乾燥設備。
【請求項３】
前記巻掛け用気体吹付け具が、通路上流側のガイドロールに接するウエブ通路の巻掛け領域における上流側縁部近辺箇所へ向かって気体を吹き付ける吹出し口と、通路下流側のガイドロールに接するウエブ通路の巻掛け領域における下流側縁部近辺箇所へ向かって気体を吹き付ける吹出し口と、ウエブ通路を介してこれらガイドロールに対面する気体案内面部を備え、気体案内面部の両縁部に曲成したコアンダ部の各々に吹出し口を面するようにした
請求項１に記載の蛇行修正装置付き浮揚乾燥設備。
【請求項４】
前記蛇行修正装置が、隣接する乾燥室の間に蛇行修正室を設け、
蛇行修正室の室内を囲む仕切壁部が、各乾燥室の室内を囲む仕切壁部へ気密状に接合され、
前記蛇行修正装置の左右両端側が、蛇行修正室の仕切壁部に開設されている開口部を挿通して、蛇行修正室の室外に配置されている非通気性の連結板に連結され、
これら開口部の周縁及び連結板が、蛇行修正装置の左右両端側を囲む可撓性且つ非通気性の接合筒部で気密状に接合され、
傾動操作具が、蛇行修正室の室外で連結板に連結されている
請求項１乃至３のいずれか１項に記載の蛇行修正装置付き浮揚乾燥設備。
【請求項５】
前記巻掛け用気体吹付け具に送気側を接合すると共に前記蛇行修正室の室内及び吸引具に吸気側を接合する循環通路と、循環通路に配置した循環ファン及び温度調節器付きの加熱器と、循環通路に接合した風量調節用ダンパ付き排気路とを有する気体循環装置を備え、
加熱器を温度調節することで、蛇行修正室の室内におけるガイドロールの周囲の気体の温度を、乾燥室から送り出されるウエブの温度値以下にできるようにした
請求項４に記載の蛇行修正装置付き浮揚乾燥設備。
【請求項６】
前後方向へ延びて一方面が塗着面側で他方面が非塗着面側となるウエブ通路の両面に一方側及び他方側のノズル箱から気体を吹き付ける乾燥室の二つを隣接させた浮揚乾燥装置と、隣接する乾燥室の間に配置された蛇行修正装置とを備えた蛇行修正装置付き浮揚乾燥設備であって、
蛇行修正装置は、ウエブ通路の他方面に接触するように平行に配置された複数本のガイドロールと、これらガイドロールに対してウエブ通路の反対側に配置され、隣接するガイドロールの隙間を吸引状態とする吸引具と、これらガイドロール及び吸引具を左右方向に対して傾動させる傾動操作具とを備えた
ことを特徴とする蛇行修正装置付き浮揚乾燥設備。
【請求項７】
前記蛇行修正装置が、隣接する乾燥室の間に蛇行修正室を設け、
蛇行修正室の室内を囲む仕切壁部が、各乾燥室の室内を囲む仕切壁部へ気密状に接合され、
前記蛇行修正装置の左右両端側が、蛇行修正室の仕切壁部に開設されている開口部を挿通して、蛇行修正室の室外に配置されている非通気性の連結板に連結され、
これら開口部の周縁及び連結板が、蛇行修正装置の左右両端側を囲む可撓性且つ非通気性の接合筒部で気密状に接合され、
傾動操作具が、蛇行修正室の室外で連結板に連結されている
請求項６に記載の蛇行修正装置付き浮揚乾燥設備。
【請求項８】
前記吸引具に吸気側を接合すると共に前記蛇行修正室の室内に送気側を接合する循環通路と、循環通路に配置した循環ファン及び温度調節器付きの加熱器と、循環通路に接合した風量調節用ダンパ付き排気路とを有する気体循環装置を備え、
加熱器を温度調節することで、蛇行修正室の室内におけるガイドロールの周囲の気体の温度を、乾燥室から送り出されるウエブの温度値以下にできるようにした
請求項７に記載の蛇行修正装置付き浮揚乾燥設備。
【請求項９】
隣接する乾燥室が、各乾燥室の一方側及び他方側のノズル箱の間でウエブ通路に沿って延びる仮想平面について、仮想平面どうしを交差させた
請求項１乃至８のいずれか１項に記載の蛇行修正装置付き浮揚乾燥設備。
【発明の詳細な説明】
【技術分野】
【０００１】
本発明は、フィルム又は紙等のウエブの上下両面にノズルから熱風を吹き付けてウエブを浮揚させながらウエブの片側表面に塗着されている塗膜を乾燥させる浮揚乾燥装置において、浮揚乾燥装置の内部を走行中に生じるウエブの幅方向への蛇行を修正するようにした蛇行修正装置付き浮揚乾燥設備に関する。
【背景技術】
【０００２】
浮揚乾燥装置の内部のウエブ通路を走行するウエブの蛇行を修正する蛇行修正装置（前者）は、ウエブ通路の上面側においてウエブ通路の幅方向の一方側の端部と他方側の端部にそれぞれ配設された第１の吸引ノズルおよび第２の吸引ノズルと、ウエブ通路の下面側においてウエブ通路の幅方向の一方側の端部と他方側の端部にそれぞれ配設された第３の吸引ノズルおよび第４の吸引ノズルと、第１の吸引ノズルおよび第３の吸引ノズルがそれぞれ接続される開度調整機構を備えた第１のダクトと、第２の吸引ノズルおよび第４の吸引ノズルがそれぞれ接続される開度調整機構を備えた第２のダクトと、第１および第２のダクト内の気体を吸引する吸引装置とを有し、第１のダクトの開度調整機構と第２のダクトの開度調整機構とを独立して操作可能としたものがある（特許文献１）。
【０００３】
走行するウエブにウエブの幅方向への蛇行を生じた場合には、第１のダクトおよび第２のダクトの開度調整機構を操作することによって、ウエブの一方側の端部に設けられた第１の吸引ノズルおよび第３の吸引ノズルからウエブの他方側の端部に設けられた第２の吸引ノズルおよび第４の吸引ノズル側へ、あるいはその逆方向へウエブ付近の気体が流動するために、ウエブの幅方向への気体の流動によってウエブを蛇行方向と逆方向へ移動させて蛇行を修正しようとする。
【０００４】
また、浮揚乾燥装置の外側でウエブの蛇行を修正する蛇行修正装置（後者）としては、走行中のウエブの一方表面に接する二本のロール及び他方表面に接する一本のロールを、ウエブ走行方向の幅方向へ傾動自在としたものがある（特許文献２）。
【先行技術文献】
【特許文献】
【０００５】
【特許文献１】特許第３６７６５９９号公報
【特許文献２】特開２００９−１９０８５４号公報
【発明の概要】
【発明が解決しようとする課題】
【０００６】
ところで、前者の蛇行修正装置は、ウエブの蛇行を修正するときに、ウエブの幅方向の一方側へ流動する気体の風量と他方側へ流動する気体の風量との割合が変化するので、ウエブの幅方向の全域における乾燥能力に不均一が生じ、その結果、ウエブの片側表面に塗着されている塗膜の幅方向について乾燥状態の不均一を生じさせる問題がある。
【０００７】
後者の蛇行修正装置は、浮揚乾燥装置のウエブ通路の途中に配置したとき、ウエブの片側表面に塗着されている塗膜がロールに接触するため、塗膜に傷等の欠陥を生じさせる問題がある。
【０００８】
本発明は、前記問題を解決するために、塗膜の幅方向における乾燥状態の不均一や、塗膜に傷等の欠陥を生じさせない蛇行修正装置付き浮揚乾燥設備の提供を目的とする。
【課題を解決するための手段】
【０００９】
塗膜の幅方向における乾燥状態の不均一や、塗膜に傷等の欠陥を生じさせないために請求項１記載の本発明が採用した手段は、図１乃至図１０に示す如く、前後方向へ延びて一方面Ｒｗが塗着面側で他方面Ｒｄが非塗着面側となるウエブ通路Ｒの両面に一方側及び他方側のノズル箱３から気体を吹き付ける乾燥室２ａの二つを隣接させた浮揚乾燥装置２と、隣接する乾燥室２ａ，２ａの間に配置された蛇行修正装置４とを備えた蛇行修正装置付き浮揚乾燥設備であって、蛇行修正装置４は、ウエブ通路Ｒの他方面Ｒｄに接触するように平行に配置された複数本のガイドロール６と、これらガイドロール６に対してウエブ通路Ｒの反対側に配置され、隣接するガイドロール６，６の隙間Ｊを吸引状態とする吸引具５と、ウエブ通路Ｒの一方面外側からウエブ通路Ｒの一方面Ｒｗに向かって気体を吹き付け、ウエブ通路Ｒにガイドロール６の外周面６ａに沿う巻掛け領域Ｒｂを形成させてウエブ通路Ｒと非接触になる巻掛け用気体吹付け具７と、これらガイドロール６、吸引具５及び巻掛け用気体吹付け具７を左右方向に対して傾動させる傾動操作具８とを備えたことを特徴とする蛇行修正装置付き浮揚乾燥設備である。
【００１０】
ガイドロール６にウエブＷを確実にガイドさせるために請求項２記載の本発明が採用した手段は、図６及び図１３に示す如く、前記巻掛け用気体吹付け具７が、通路上流側のガイドロール６に接するウエブ通路Ｒの巻掛け領域Ｒｂにおける上流側縁部Ｒｃ近辺箇所へ向かって気体を吹き付ける吹出し口７ｃと、通路下流側のガイドロール６に接するウエブ通路Ｒの巻掛け領域Ｒｂにおける下流側縁部Ｒｃ近辺箇所へ向かって気体を吹き付ける吹出し口７ｃと、隣接するガイドロール６，６の間に向かって気体を吹き付ける中間の吹出し口７ｃとを備えている請求項１に記載の蛇行修正装置付き浮揚乾燥設備である。
【００１１】
ガイドロール６にウエブＷを確実にガイドさせるために請求項３記載の本発明が採用した手段は、図１１、図１２、図１４及び図１５に示す如く、前記巻掛け用気体吹付け具７が、通路上流側のガイドロール６に接するウエブ通路Ｒの巻掛け領域Ｒｂにおける上流側縁部Ｒｃ近辺箇所へ向かって気体を吹き付ける吹出し口７ｃと、通路下流側のガイドロール６に接するウエブ通路Ｒの巻掛け領域Ｒｂにおける下流側縁部Ｒｃ近辺箇所へ向かって気体を吹き付ける吹出し口７ｃと、ウエブ通路Ｒを介してこれらガイドロール６に対面する気体案内面部７ｄを備え、気体案内面部７ｄの両縁部に曲成したコアンダ部７ｅ，７ｅの各々に吹出し口７ｃを面するようにした請求項１に記載の蛇行修正装置付き浮揚乾燥設備である。
【００１２】
乾燥室内２ｂの気体を蛇行修正装置４を介して外部へ漏洩させないために請求項４記載の本発明が採用した手段は、図２、図４及び図７に示す如く、前記蛇行修正装置４が、隣接する乾燥室２ａ，２ａの間に蛇行修正室４ａを設け、蛇行修正室４ａの室内４ｂを囲む仕切壁部４ｃが、各乾燥室２ａの室内２ｂを囲む仕切壁部２ｃへ気密状に接合され、前記蛇行修正装置４の左右両端側が、蛇行修正室４ａの仕切壁部４ｃに開設されている開口部４ｄを挿通して、蛇行修正室４ａの室外に配置されている非通気性の連結板９に連結され、これら開口部４ｄの周縁及び連結板９が、蛇行修正装置４の左右両端側を囲む可撓性且つ非通気性の接合筒部１０で気密状に接合され、傾動操作具８が、蛇行修正室４ａの室外で連結板９に連結されている請求項１乃至３のいずれか１項に記載の蛇行修正装置付き浮揚乾燥設備である。
【００１３】
ウエブＷをガイドロール６で昇温させないために請求項５記載の本発明が採用した手段は、図１０に示す如く、前記巻掛け用気体吹付け具７に送気側３４ｂを接合すると共に前記蛇行修正室４ａの室内４ｂ及び吸引具５に吸気側３４ａを接合する循環通路３４と、循環通路３４に配置した循環ファン３５及び温度調節器付きの加熱器３６と、循環通路３４に接合した風量調節用ダンパ付き排気路３８とを有する気体循環装置２５を備え、加熱器３６を温度調節することで、蛇行修正室４ａの室内４ｂにおけるガイドロール６の周囲の気体の温度を、乾燥室２ａから送り出されるウエブＷの温度値Ｔ２以下にできるようにした請求項４に記載の蛇行修正装置付き浮揚乾燥設備である。
【００１４】
塗膜の幅方向における乾燥状態の不均一や、塗膜に傷等の欠陥を生じさせないために請求項６記載の本発明が採用した手段は、図１８乃至図２０に示す如く、前後方向へ延びて一方面Ｒｗが塗着面側で他方面Ｒｄが非塗着面側となるウエブ通路Ｒの両面に一方側及び他方側のノズル箱３から気体を吹き付ける乾燥室２ａの二つを隣接させた浮揚乾燥装置２と、隣接する乾燥室２ａ，２ａの間に配置された蛇行修正装置４とを備えた蛇行修正装置付き浮揚乾燥設備であって、蛇行修正装置４は、ウエブ通路Ｒの他方面Ｒｄに接触するように平行に配置された複数本のガイドロール６と、これらガイドロール６に対してウエブ通路Ｒの反対側に配置され、隣接するガイドロール６，６の隙間を吸引状態とする吸引具５と、これらガイドロール６及び吸引具５を左右方向に対して傾動させる傾動操作具８とを備えたことを特徴とする蛇行修正装置付き浮揚乾燥設備である。
【００１５】
乾燥室内２ｂの気体を蛇行修正装置４を介して外部へ漏洩させないために請求項７記載の本発明が採用した手段は、図１８及び図１９に示す如く、前記蛇行修正装置４が、隣接する乾燥室２ａ，２ａの間に蛇行修正室４ａを設け、蛇行修正室４ａの室内４ｂを囲む仕切壁部４ｃが、各乾燥室２ａの室内２ｂを囲む仕切壁部２ｃへ気密状に接合され、前記蛇行修正装置４の左右両端側が、蛇行修正室４ａの仕切壁部４ｃに開設されている開口部４ｄを挿通して、蛇行修正室４ａの室外に配置されている非通気性の連結板９に連結され、これら開口部４ｄの周縁及び連結板９が、蛇行修正装置４の左右両端側を囲む可撓性且つ非通気性の接合筒部１０で気密状に接合され、傾動操作具８が、蛇行修正室４ａの室外で連結板９に連結されている請求項６に記載の蛇行修正装置付き浮揚乾燥設備である。
【００１６】
ウエブＷをガイドロール６で昇温させないために請求項８記載の本発明が採用した手段は、図１８に示す如く、前記吸引具５に吸気側３４ａを接合すると共に前記蛇行修正室４ａの室内４ｂに送気側３４ｂを接合する循環通路３４と、循環通路３４に配置した循環ファン３５及び温度調節器付きの加熱器３６と、循環通路３４に接合した風量調節用ダンパ付き排気路３８とを有する気体循環装置２５を備え、加熱器３６を温度調節することで、蛇行修正室４ａの室内４ｂにおけるガイドロール６の周囲の気体の温度を、乾燥室２ａから送り出されるウエブＷの温度値Ｔ２以下にできるようにした請求項７に記載の蛇行修正装置付き浮揚乾燥設備である。
【００１７】
隣接する乾燥室２ａ，２ａを屈折させた状態で連ねるために請求項９記載の本発明が採用した手段は、図１５及び図１６に示す如く、隣接する乾燥室２ａ，２ａが、各乾燥室２ａの一方側及び他方側のノズル箱３の間でウエブ通路Ｒに沿って延びる仮想平面Ｐについて、仮想平面Ｐ，Ｐどうしを交差させた請求項１乃至８のいずれか１項に記載の蛇行修正装置付き浮揚乾燥設備である。
【発明の効果】
【００１８】
請求項１の本発明に係る蛇行修正装置付き浮揚乾燥設備は、吸引具による吸引で隣接するガイドロールの隙間がウエブを引き込むと共に、巻掛け用気体吹付け具から噴出する気体がウエブをガイドロールへ圧着させる相乗作用でウエブをガイドロールに確実に巻掛けさせて、ウエブを左右方向へ横滑りさせることなく確実にガイドして蛇行修正を行うため、蛇行修正が乾燥室のノズル箱から吹き付けられてウエブの表面を通過する気体の移動状況に変化を生じさせることもなく、塗膜の幅方向における乾燥状態の均一を保持できると共に、ウエブの塗着面側と蛇行修正装置との接触がないため、塗膜に傷等の欠陥を生じさせることもない。
【００１９】
請求項２の本発明に係る蛇行修正装置付き浮揚乾燥設備は、巻掛け用気体吹付け具の両側の吹出し口及び中間の吹出し口から吹き出す気体で、ウエブ通路を走行するウエブを複数本のガイドロールに巻掛けて巻掛け長さを増大させることで、ガイドロールにウエブを滑らすことなくウエブを確実にガイドさせることができる。
【００２０】
請求項３の本発明に係る蛇行修正装置付き浮揚乾燥設備は、巻掛け用気体吹付け具の両側の吹出し口から吹出した気体が、コアンダ部のコアンダ効果で気体案内面部へ方向転換して、ウエブ通路を走行するウエブと気体案内面部の間に、ウエブ通路の他方面側の静圧に比べて大きいプラス静圧を生じさせ、このプラス静圧でウエブをガイドロールに圧着させて、ガイドロールにウエブを滑らすことなくウエブを確実にガイドさせることができる。
【００２１】
請求項４の本発明に係る蛇行修正装置付き浮揚乾燥設備は、蛇行修正室の室内が蛇行修正室の仕切壁部、連結板及び接合筒部で気密状に囲まれているため、乾燥室内から蛇行修正室内へ移動した気体を外部へ漏洩させることがない。
【００２２】
請求項５の本発明に係る蛇行修正装置付き浮揚乾燥設備は、ガイドロールのウエブに接する外周面の温度値が、乾燥室から送り出されるウエブの温度値を越えないため、ガイドロールでウエブを昇温させることもなく、加熱による熱的収縮等のダメイジをウエブに与えることがない。
【００２３】
請求項６記載の本発明に係る蛇行修正装置付き浮揚乾燥設備は、ウエブ通路を走行するウエブに対して、蛇行修正装置のガイドロール及び吸引具を傾動操作具で傾動させて蛇行修正を行うときに、乾燥室のノズル箱から吹き付けられてウエブの表面を通過する気体の移動状況に変化を生じさせないことから、塗膜の幅方向における乾燥状態の均一を保持できると共に、ウエブの塗着面側と蛇行修正装置との接触がないため、塗膜に傷等の欠陥を生じさせることもない。
【００２４】
請求項７記載の本発明に係る蛇行修正装置付き浮揚乾燥設備は、蛇行修正室の室内が蛇行修正室の仕切壁部、連結板及び接合筒部で気密状に囲まれているため、乾燥室内から蛇行修正室内へ移動した気体を外部へ漏洩させることがない。
【００２５】
請求項８記載の本発明に係る蛇行修正装置付き浮揚乾燥設備は、ウエブに接するガイドロールの外周面の温度値が、乾燥室から送り出されるウエブの温度値を越えないため、ガイドロールでウエブを昇温させることもなく、加熱による熱的収縮等のダメイジをウエブに与えることがない。
【００２６】
請求項９記載の本発明に係る蛇行修正装置付き浮揚乾燥設備は、隣接する乾燥室のウエブ通路に沿う仮想平面どうしを交差させることで、隣接する乾燥室の間でのウエブの浮揚状態を確保隣接しつつ隣接する乾燥室を屈折させた状態で連ねたい要請に応えることができる。
【図面の簡単な説明】
【００２７】
【図１】本発明に係る蛇行修正装置付き浮揚乾燥設備（以下、「本発明浮揚乾燥設備」と言う。）の第１の実施の形態を示す右側面図である。
【図２】図１のＣ２−Ｃ２線で断面した中間省略した平面図である。
【図３】図２のＣ３−Ｃ３線で断面した右側面図である。
【図４】図１のＣ４−Ｃ４線で断面した正面図である。
【図５】第１の実施の形態における乾燥室２ａの上下両側のノズル箱３を拡大して示す断面した側面図である。
【図６】第１の実施の形態における蛇行修正装置４の二本のガイドロール６，６、吸引具５及び巻掛け用気体吹付け具７の回りを拡大して示す断面した側面図である。
【図７】第１の実施の形態における吸引具５を構成する左右の端シール部材４５，４５の間隔を調整するための間隔調整装置４７の近辺を示す断面した正面図である。
【図８】第１の実施の形態における蛇行修正装置４の状態を示す中間省略した平面図であり、図（Ａ）は二本のガイドロール６，６、吸引具５及び巻掛け用気体吹付け具７が左右方向に対して傾動していない状態、図（Ｂ）は二本のガイドロール６，６、吸引具５及び巻掛け用気体吹付け具７が右側へ移動して傾動している状態、図（Ｃ）は二本のガイドロール６，６、吸引具５及び巻掛け用気体吹付け具７が左側へ移動して傾動している状態を示す。
【図９】第１の実施の形態における蛇行修正装置４の機構を簡略的に示す平面図である。
【図１０】第１の実施の形態における浮揚乾燥装置２の気体循環装置２４及び蛇行修正装置４の気体循環装置２５を示す概略面である。
【図１１】第１の実施の形態における蛇行修正装置４の二本のガイドロール６，６、吸引具５及び別態様の巻掛け用気体吹付け具７の回りを拡大して示す断面した側面図である。
【図１２】第１の実施の形態における蛇行修正装置４の二本のガイドロール６，６、吸引具５及び別態様の巻掛け用気体吹付け具７の回りを拡大して示す断面した側面図である。
【図１３】第１の実施の形態における蛇行修正装置４の三本のガイドロール６，６，６、吸引具５及び巻掛け用気体吹付け具７の回りを拡大して示す断面した側面図である。
【図１４】第１の実施の形態における蛇行修正装置４の三本のガイドロール６，６，６、吸引具５及び別態様の巻掛け用気体吹付け具７の回りを拡大して示す断面した側面図である。
【図１５】第１の実施の形態における蛇行修正装置４の三本のガイドロール６，６，６、吸引具５及び更に別態様の巻掛け用気体吹付け具７の回りを拡大して示す断面した側面図である。
【図１６】第２の実施の形態に係る本発明浮揚乾燥設備６１を示す断面した側面図である。
【図１７】第３の実施の形態に係る本発明浮揚乾燥設備７１を示す断面した側面図である。
【図１８】第４の実施の形態に係る本発明浮揚乾燥設備８１を示す断面した側面図であって、浮揚乾燥装置２の気体循環装置２４及び蛇行修正装置４の気体循環装置２５を概略的に示すものである。
【図１９】第４の実施の形態に係る本発明浮揚乾燥設備８１の断面した正面図である。
【図２０】第４の実施の形態における蛇行修正装置４のガイドロール６，６及び吸引具５の回りを拡大して示す断面した側面図であって、図（Ａ）は二本のガイドロール６，６の場合を示し、図（Ｂ）は三本のガイドロール６，６，６の場合を示している。
【発明を実施するための形態】
【００２８】
（第１の実施の形態）
第１の実施の形態に係る本発明浮揚乾燥設備１は、図１乃至図３に示す如く、前後方向へ延びて一方面Ｒｗ（図３参照）が塗着面側で他方面Ｒｄが非塗着面側となるウエブ通路Ｒの両面に一方側（一方面Ｒｗに面する側）及び他方側（他方面Ｒｄに面する側）のノズル箱３から気体を吹き付ける乾燥室２ａの二つを隣接させた浮揚乾燥装置２と、隣接する乾燥室２ａ，２ａの間に配置した蛇行修正装置４とを備えている。本例におけるウエブＷは、ウエブ通路Ｒを前から後へ向かって走行するようになっている。
【００２９】
前記乾燥室２ａは、図３に示す如く、ウエブ通路Ｒが貫通する室内２ｂを囲む仕切壁部２ｃと、ウエブ通路Ｒを挟んで上下側に配置したノズル群Ｎ１，Ｎ２と、上側（一方側）のノズル群Ｎ１の各ノズル箱３に連通する給気ダクト１９と、下側（他方側）のノズル群Ｎ２の各ノズル箱３に連通する給気ダクト２０とを備えている。ノズル群Ｎ１，Ｎ２の各々は、本発明浮揚乾燥設備１の左右方向（前後方向と直交する方向）へ延びる複数個のノズル箱３，３…を適宜寸法Ｓ（例えば、１５０〜５００ｍｍの範囲内で選択される寸法）の間隔を開けて配置し、ノズル群Ｎ１の隣接するノズル箱３，３の間に、ノズル群Ｎ２のノズル箱３を対向させるようにしてある。給気ダクト１９，２０の各々は、図１０に示す如く、気体循環装置２４から供給される気体（例えば、空気や窒素気体等）Ｇを各ノズル箱３へ分配するようにしてある。また、乾燥室２ａは、仕切壁部２ｃに開口部２ｄ，２ｅが開設され、上側（一方側）のノズル群Ｎ１の各ノズル箱３から噴出した気体を開口部２ｄを介して気体循環装置２４へ還流させると共に、下側（他方側）のノズル群Ｎ２の各ノズル箱３から噴出した気体を開口部２ｅを介して気体循環装置２４へ還流させるようにしてある。
【００３０】
前記ノズル箱３は、図２及び図５に示す如く、左右方向に長い気体案内板１７と、気体案内板１７の前後外縁に開設された左右方向に長い前後一対の気体噴出スリツト１８，１８とを有している。該気体案内板１７は、図５に示す如く、静圧保持部となる平坦部１７ａと、平坦部１７ａの前後縁部で彎曲形成した前後一対のコアンダ部１７ｂ，１７ｂと、コアンダ部１７ｂ，１７ｂから延設した前後一対の裾部１７ｃ，１７ｃとが形成されている。前記気体噴出スリツト１８，１８は、裾部１７ｃ，１７ｃの外表面を気体Ｇの案内面とするように開設されている。該気体噴出スリツト１８，１８から噴出した気体Ｇは、裾部１７ｃ，１７ｃに案内されてコアンダ部１７ｂ，１７ｂに達し、コアンダ部１７ｂ，１７ｂでコアンダ効果により平坦部１７ａへ方向転換し、ウエブ通路Ｒを走行するウエブＷと平坦部１７ａの間に、室内２ｂの気体の静圧に比べてプラス側に大きいプラス静圧を発生させつつ平坦部１７ａから離反してウエブＷへ吹き付けられる。ウエブＷは、各ノズル箱３の平坦部１７ａとの間に発生したプラス静圧のクッション的な支持作用により波動曲線を描くように支持されて浮揚しながら走行する。ノズル箱３は、上記の構造に限定するものではなく、適宜変更することも可能である。
【００３１】
前記浮揚乾燥装置２の各乾燥室２ａは、図１０に示す如く、二組の気体循環装置２４，２４が接続されている。各組の気体循環装置２４は、乾燥室２ａの給気ダクト１９（又は２０）と乾燥室２ａの開口部２ｄ（又は２ｅ）とを連通させる循環通路２６と、循環通路２６の上流側に配置した循環ファン２７と、循環通路２６の下流側に配置した蒸気ヒータ又は電気ヒータ等からなる加熱器２８と、循環通路２６の上流側に接続した風量調節用ダンパ付き新鮮気体取入れ具２９とを備え、循環通路２６における新鮮気体取入れ具２９よりも上流側に風量調節用ダンパ付き排気路３０を接合してある。各気体循環装置２４は、乾燥室内２ｂを通過するウエブＷを浮揚させた後にウエブＷから離れる気体を、循環ファン２７の吸引力で開口部２ｄ（又は２ｅ）から循環通路２６へ吸引して循環させるときに、加熱器２８で設定温度まで加熱して乾燥室２ａの給気ダクト１９（又は２０）へ供給し、ノズル群Ｎ１（又はＮ２）の各ノズル箱３からウエブ通路Ｒに向かって気体を噴出させるようにしてある。また、各気体循環装置２４は、開口部２ｄ（又は２ｅ）から還流させた気体の一部を排気路３０及び集合排気ダクト３３を介して排気装置３１の排気ファン３２に吸引させると共に、新鮮気体取入れ具２９から新鮮気体を循環通路２６へ取り入れて、各ノズル箱３から噴出する気体の溶媒蒸気濃度を設定値となるようにしてある。本例の本発明浮揚乾燥設備１は、ノズル群Ｎ１用とノズル群Ｎ２用の二組の気体循環装置２４，２４を備えているが、一組の気体循環装置２４でノズル群Ｎ１及びＮ２へ設定温度の気体を供給して循環させるように構成することも可能である。
【００３２】
前記蛇行修正装置４は、図１乃至図４並びに図６乃至図１０に示す如く、ウエブ案内装置１３と、ウエブ案内装置１３を傾動させる傾動操作具８と、ウエブ案内装置１３に接続した気体循環装置２５とからなる。ウエブ案内装置１３は、左右の連結板９，９を連結フレーム１５，１５で連結した支持具１６と、支持具１６の連結フレーム１５，１５に取付けた二本のガイドロール６，６、吸引具５及び巻掛け用気体吹付け具７とを備えている。    
【００３３】
前記二本のガイドロール６，６は、図２、図４及び図６に示す如く、連結フレーム１５，１５に軸受１４，１４を介して取付けられ、ウエブ通路Ｒの他方面Ｒｄに接触するように平行に配置されている。二本のガイドロール６，６は、外周面６ａの直径が５０〜１５０ｍｍ程度の範囲から選択され、外周面６ａを金属表面とする他に、巻掛けるウエブＷの横滑りを防止して蛇行修正を確実に実行させるために、ロール外周面が摩擦抵抗の大きなゴム層で形成されている。また、二本のガイドロール６，６は、回転自在なフリーロール、または、ロール外周面を形成する筒部を軸支する軸部を強制的に回転駆動させるテンデンシーロール（連れ回りロール）が、ウエブＷの特性に応じて選択される。
【００３４】
前記吸引具５は、図６及び図７に示す如く、二本のガイドロール６，６に対してウエブ通路Ｒの反対側（下側）に配置され、隣接するガイドロール６，６の外周面６ａ，６ａの間に形成されている隙間Ｊを吸引状態とするように構成されている。吸引具５は、ガイドロール６，６の長手方向（左右方向）に延びる凹溝部材４４と、凹溝部材４４の対向する側板部４４ａ，４４ａに外周面６ａへ向かって進退可能に取付られ、長手先端部４５ａをガイドロール６の外周面６ａに接近させた前後の長手シール部材４５，４５と、凹溝部材４４における溝内側の長手両側の各々に移動可能に配置され、先端部４６ａをガイドロール６の外周面６ａに接近させた左右の短手シール部材４６，４６とを備え、前後の連結フレーム１５，１５に左右の支持部材５３，５３を介して凹溝部材４４を取付け固定してある。各支持部材５３は、前後の連結フレーム１５，１５に架設した連結部５３ａと、凹溝部材４４の底板部４４ｂに接合したブラケット５３ｂとからなり、連結部５３ａとブラケット５３ｂを螺子５３ｃ，５３ｃで接合してある。
【００３５】
前記吸引具５は、凹溝部材４４、前後の長手シール部材４５，４５及び左右の短手シール部材４６，４６で囲まれて溝内側に形成された吸引空間部５ａを、二本のガイドロール６，６の外周面６ａ，６ａにおけるウエブ通路Ｒと反対側に臨ませると共に、長手シール部材４５，４５及び短手シール部材４６，４６の各先端部４５ａ，４６ａをガイドロール６，６の各外周面６ａに当接させることなく接近させ、ガイドロール６の自在回転を阻害しないようにしある。吸引具５は、凹溝部材４４の底板部４４ｂに開設した吸引口４４ｃに、可撓性（フレキシブル）のダクト５４を介して気体循環装置２５の吸引側３４ａを接合して吸引空間部５ａを吸引することで、吸引空間部５ａと連通する隣接するガイドロール６，６の間の隙間Ｊを吸引状態にすることができる。
【００３６】
隣接するガイドロール６，６の間の隙間Ｊは、隣接するガイドロール６，６で案内されて走行するウエブＷで隙間長手領域（左右領域）が覆われるため、後述する蛇行修正室４ａ内の気体を開口状態の隙間両端側から吸引することになり、隙間両端側の開口面積が大きいくなると、吸引風量も増大して気体循環装置２５の吸引負荷も増大することになる。そこで、隣接するガイドロール６，６は、隙間Ｊの両端側の開口面積を極力小さくするために、ロール外周面６ａ，６ａの最も接近する最少寸法を２〜５ｍｍ程度の範囲で選択するとよい。
【００３７】
前記吸引具５は、図７に示す如く、ウエブ通路Ｒを走行するウエブＷにおけるを左右幅寸法の異なる仕様の変更に対応して、左右の短手シール部材４６，４６をウエブＷの左右両端近辺へ移動できるように間隔調整装置４７を備えている。間隔調整装置４７は、凹溝部材４４の底板部４４ｂに両端側が回転自在に軸支４９，４９されると共に一方（左側）の短手シール部材４６に螺合する一方螺子４８ａ、及び凹溝部材４４の底板部４４ｂに両端側が回転自在に軸支４９，４９されると共に他方（右側）の短手シール部材４６に螺合する他方螺子４８ａからなり、一方螺子４８ａと他方螺子４８ａが逆螺子関係となる移動操作用螺子４８と、一方螺子４８ａと他方螺子４８ａを連結する軸継手５０と、他方螺子４８ｂから延長して右側の連結板９に軸支される延長棒５１と、延長棒５１の端部に取付けた回転操作用ハンドル５２とを備え、ハンドル５２を回転操作することで移動操作用螺子４８を回転させて、両方の短手シール部材４６，４６を接近又は離反させるようにしてある。
【００３８】
ガイドロール６，６の外周面６ａ，６ａに接しながら走行するウエブＷは、吸引具５で吸引状態となっている隣接するガイドロール６，６の間の隙間Ｊを跨ぐとき、隙間Ｊへ引き込まれるように引っ張られ、ウエブ張力と釣り合う位置を通過することになる。
【００３９】
前記巻掛け用気体吹付け具７は、図６に示す如く、ウエブ通路Ｒの一方面外側（上側）からウエブ通路Ｒの一方面Ｒｗに向かって気体（例えば、空気や窒素気体等）Ｇを吹き付けるように構成され、蛇行修正装置用の気体循環装置２５（図１０参照）から可撓性ダクト２１を介して気体が供給されるノズル箱本体７ａと、ノズル箱本体７ａの前後側からウエブ通路Ｒへ向かって突設する前後のノズル７ｂ，７ｂ及び二本のガイドロール６，６の間へ向かって突設する中間のノズル７ｂとを備え、前後のノズル７ｂ，７ｂの先端の吹出し口７ｃ，７ｃ及び中間のノズル７ｂの先端の吹出し口７ｃからウエブ通路Ｒの一方面Ｒｗに向かって気体を吹き付けることで、各ガイドロール６の外周面６ａの周方向に沿ってウエブ通路Ｒの巻掛け領域Ｒｂを形成させるようにしてある。巻掛け用気体吹付け具７は、前方のノズル７ｂが、前方のガイドロール６の巻掛け領域Ｒｂにおける通路上流側の縁部近辺箇所Ｒｃへ向かって気体を吹き付けると共に、後方のノズル７ｂが、後方のガイドロール６の巻掛け領域Ｒｂにおける通路下流側の縁部近辺箇所Ｒｃへ向かって気体を吹き付けて、更に、中間のノズル７ｂが、ウエブ通路Ｒにおけるガイドロール６，６の間の跨ぎ箇所Ｒｅへ向かって気体を吹き付けることで、吹き付ける気体の圧力（動圧）でウエブＷを引っ張る方向へ押圧しつつガイドロール６，６の各外周面６ａに巻掛ける。なお、ノズル箱本体５７ａは、図６及び図４に示す如く、内部に整流具５７ｈを配置して各吹出し口５７ｃから気体が左右方向の全域にわたって均一に吹き出させることで、ウエブＷを左右幅方向の全域で均一に引っ張るようにしてある。
【００４０】
前記蛇行修正装置４は、図２及び図３に示す如く、隣接する乾燥室２ａ，２ａの間に蛇行修正室４ａが設けられ、蛇行修正室４ａの室内４ｂを囲む仕切壁部４ｃと各乾燥室２ａの室内２ｂを囲む仕切壁部２ｃとを気密状に接合してある。蛇行修正装置４の支持具６は、図２及び図４に示す如く、連結フレーム１５，１５の両端側が、蛇行修正室４ａの左右の仕切壁部４ｃに開設されている開口部４ｄ，４ｄを挿通して、蛇行修正室４ａの室外の左右に位置する非通気性の連結板９，９に連結してある。これら開口部４ｄの周縁及び連結板９は、連結フレーム１５，１５の端側を囲む可撓性且つ非通気性の接合筒部１０で気密状に接合されている。蛇行修正装置４は、図１に示す如く、仕切壁部４ｃの適所に点検扉５６及び点検窓５７が設けられている。
【００４１】
前記傾動操作具８は、図２、図４及び図７に示す如く、蛇行修正室４ａの室外に配置されて、左右の連結板９，９の各々に取着した支持部９ａを回転自在（回転中心線は上下方向へ延びる）に軸支４３（図４、図８（Ａ）参照）する左右のスライダー４０，４０と、各スライダー４０を案内する左右の固定されたレール４１，４１と、左右のスライダー４０，４０の一方（本例は左側）をスライド移動させる油圧シリンダ又はサーボモータ等のアクチュエータを有する原動部４２とを備えている。蛇行修正装置４は、図９に示す如く、その機構を簡略的にみると、支持具１６、二本のガイドロール６，６、吸引具５及び巻掛け用気体吹付け具７からなるウエブ案内装置１３を一つの節（リンク）Ｌ１とし、左右のスライダー４０，４０の各々を一つの節Ｌ２，Ｌ３とし、固定したレール４１，４１を一つの節Ｌ４とした四節限定連鎖となり、節Ｌ２（左のスライダー４０）及び節Ｌ３（右のスライダー４０）の各々の直線移動方向に垂直な直線Ｍ１，Ｍ２の交点Ｏが、固定した節Ｌ４（レール４１，４１）に対する移動する節Ｌ１（ウエブ案内装置１３）の瞬間中心となる。蛇行修正装置４は、この瞬間中心Ｏをウエブ通路Ｒの左右幅方向の範囲内に位置させ、ウエブ案内装置１３の二本のガイドロール６，６、吸引具５及び巻掛け用気体吹付け具７が走行中のウエブＷに皺を発生させ難くい状態で蛇行修正できるようにしてある。傾動操作具８は、図２に示す如く、蛇行修正室４ａの室内４ｂに配置した非接触式の検知器２３でウエブＷの幅方向の位置（例えば耳端の位置）を監視してウエブＷの蛇行を検知し、検知器２３の検知信号に基づいて傾動操作具８の原動部４２を起動・停止させて、ウエブＷの蛇行を修正させるようにしてある。検知器２３は、ウエブＷの左右幅寸法の変更に対応できるように、左右方向へ移動可能に設けられ、検知器用操作ハンドル５８を回転操作することで検知位置を変更できるようにしてある。
【００４２】
前記蛇行修正装置４は、図９に示す節Ｌ１の左右の連結板９，９、吸引具５及び巻掛け用気体吹付け具７が一体となって移動するめた、前記蛇行修正室４ａの開口部４ｄの周縁と連結板９を接合する接合筒部１０、吸引具５に接合されるダクト５４、並びに、巻掛け用気体吹付け具７に接合されるダクト２１を可撓性（フレキシブル）としてある。
【００４３】
ところで、ウエブＷの上下両面にノズル箱３，３から気体（熱風）を吹き付けてウエブＷを浮揚させながらウエブＷの片側表面に塗着されている塗膜を乾燥させる本発明浮揚乾燥設備１は、図５に示す如く、ウエブＷに接触伝熱するものとして熱風以外のものがないため、ウエブＷの温度値Ｔ２が塗膜から蒸発する溶媒の湿球温度（温度計を溶媒で湿したときに示される温度）と略等しくなり、ウエブＷをガイドロールに接触伝熱させつつ塗膜に熱風を吹き付ける乾燥方式に比べ、ノズル箱３から噴出する気体（熱風）Ｇの温度値Ｔ１を高くすることが可能となる。そして、乾燥室２ａの室内２ｂは、ノズル箱３からウエブＷに吹き付けた後にウエブＷから離れた熱風が充満するため、気体（熱風）温度値Ｔ１より若干低温の室内温度Ｔ３となる。仮に、図３に示す乾燥室２ａの室内２ｂの室内温度Ｔ３の気体が蛇行修正室４ａの室内４ｂへ流出して蛇行修正室室内４ｂに充満した場合には、二本のガイドロール６，６の温度値が乾燥室２ａを出た直後のウエブＷの温度値Ｔ２よりも相当高くなって、高温のガイドロール６，６に接触伝熱するウエブＷに熱的収縮等のダメイジを与えることもある。そこで、本発明浮揚乾燥設備１は、二本のガイドロール６，６でウエブＷを加熱させないための気体循環装置２５を備えている。
【００４４】
前記蛇行修正装置４用の気体循環装置２５は、図１０に示す如く、蛇行修正室４の室内４ｂ及び吸引具５と巻掛け用気体吹付け具７とを連通させる循環通路３４と、循環通路３４の上流側に配置した循環ファン３５と、循環通路３５の下流側に配置した温度調節器付きの加熱器３６と、循環通路３４に接合した風量調節用ダンパ付き排気路３８と、循環通路３４における排気路３８よりも下流側に設けた風量調節用ダンパ付き新鮮気体取入れ具３７とを備え、循環通路３４の上流側となる吸気側３４ａを分岐して吸引具５の吸引空間部５ａ（図６参照）に連通させると共に蛇行修正室室内４ｂに連通させ、循環通路３４の下流側となる送気側３４ｂを巻掛け用気体吹付け具７のノズル箱本体７ａ（図６参照）の内部に連通させてある。気体循環装置２５は、加熱器３６を温度調節して、巻掛け用気体吹付け具７の各ノズル７ｂから吹出す気体Ｇの温度値Ｔ４（図６参照）を制御することで、蛇行修正室４の室内４ｂにおける二本のガイドロール６，６の周囲の気体の温度を、乾燥室２ａから送り出されるウエブＷの温度値Ｔ２以下にできるようにしてある。気体循環装置２５は、二本のガイドロール６，６の何れか一方又は両方におけるウエブが巻掛けられていない外周面近傍に温度センサー３９（図６参照）を配置し、温度センサー３９で検知した温度値（ガイドロール外周面６ａの温度値）が乾燥室２ａから送り出されるウエブＷの温度値Ｔ２を越えないで温度値Ｔ２に近づくように、加熱器３６を温度調節するようにしてある。蛇行修正室内４ｂへ進入するウエブＷの温度値Ｔ２は、蛇行修正室内４ｂに配置した非接触式の温度センサー（図示略）で検知するとよい。気体循環装置２５は、乾燥室２ａの室内２ｂの気体を蛇行修正室４の室内４ｂへ流入させないように、排気路３８及び新鮮気体取入れ具３７の各ダンパ開度を調節することで、蛇行修正室４の室内４ｂの気体の静圧を隣接する乾燥室２ａ，２ａの各室内２ｂの気体の静圧と同等又は若干高くして、乾燥室内２ｂの気体を蛇行修正室内４ｂへ流入するのを阻止することで、二本のガイドロール６，６の周囲の気体を温度値Ｔ２以下にすることを確保させるようにしてある。また、気体循環装置２５は、排気路３８及び新鮮気体取入れ具３７の各ダンパ開度を調節することで、蛇行修正室内４ｂに所定濃度以上の溶媒蒸気を充満させないようにしてある。
【００４５】
本発明浮揚乾燥設備１は、図８に示す如く、蛇行修正装置４の二本のガイドロール６，６、吸引具５及び巻掛け用気体吹付け具７からなるウエブ案内装置１３を傾動操作具８で操作し、図（Ａ）に示すようにウエブＷが蛇行していないときには、ウエブ案内装置１３について左右方向へ移動させずに停止状態を維持させ、また、図（Ｂ）に示すようにウエブＷが左側へ蛇行するときには、ウエブ案内装置１３について右側が右前方向（左側が右後方向）へ移動するように傾動角度β１で傾動させて蛇行修正を行ない、逆に、図（Ｃ）に示すようにウエブＷが右側へ蛇行するときには、ウエブ案内装置１３について右側が左後方向（左側が左前方向）へ移動するように傾動角度β２で傾動させて蛇行修正を行なう。なお、傾動角度β１，β２は、本発明浮揚乾燥設備１の左右方向Ｅとガイドロール６の回転中心線Ｄとの交差角度を指し、ウエブＷの蛇行の程度に応じて変化する。
【００４６】
本発明浮揚乾燥設備１のウエブ通路Ｒを走行するウエブＷは、図３及び図６に示す如く、ウエブ通路上流側（前側）の乾燥室２ａを通過して蛇行修正装置４へ至ると、蛇行修正装置４における二本のガイドロール６，６の巻掛け領域Ｒｂ，Ｒｂに巻掛けられつつ案内され、ウエブ通路下流側（後側）の乾燥室２ａへ向かって走行する。ウエブＷが二本のガイドロール６，６の巻掛け領域Ｒｂ，Ｒｂに巻掛けられるのは、吸引具５で吸引状態となっている隣接するガイドロール６，６の間の隙間Ｊを跨ぐウエブＷが吸引状態の隙間Ｊへ引き込まれるように引っ張られると共に、巻掛け用気体吹付け具７の前後のノズル７ｂ，７ｂから前後のガイドロール６，６の巻掛け領域Ｒｂ，Ｒｂにおける通路上下流側の縁部近辺箇所Ｒｃ，Ｒｃへ向かって吹き付けられる気体及び中間のノズル７ｂからウエブ通路Ｒにおける跨ぎ箇所Ｒｅへ向かって吹き付けられる気体の圧力（動圧）でウエブＷが引っ張る方向へ押圧されることに拠るものである。二本のガイドロール６，６の巻掛け領域Ｒｂ，Ｒｂに巻掛けらながら走行するウエブＷは、ウエブ張力値に応じて各ガイドロール６の外周面６ａ上に押圧されることになるため、各ガイドロール６の外周面上における左右方向への横滑りが阻止され、蛇行修正のときに傾動するガイドロール６，６と一体になって移動することになる。
【００４７】
本発明浮揚乾燥設備１は、本例では、図３に示す如く、隣接する乾燥室２ａ，２ａが、各乾燥室２ａの一方側及び他方側のノズル箱３の間でウエブ通路Ｒに沿って延びる仮想平面Ｐについて、水平で且つ両仮想平面Ｐ，Ｐを同一面となるように連続させてあるが、これに限定するものではなく、図示は省略したが、両仮想平面Ｐ，Ｐを水平に対して傾斜させるように隣接する乾燥室２ａ，２ａを傾斜姿勢にする場合もある。
【００４８】
なお、前記蛇行修正装置４のウエブ案内装置１３は、図１１乃至図１５に示す如く、変更することも可能である。
【００４９】
図１１に示す蛇行修正装置４のウエブ案内装置１３は、ウエブＷを二本のガイドロール６，６の各外周面６ａに気体の静圧で圧着させる巻掛け用気体吹付け具７を備えている。巻掛け用気体吹付け具７は、ウエブ通路Ｒを介して二本のガイドロール６，６に対面する気体案内面部７ｄと、気体案内面部７ｄの前後両縁部に曲成したコアンダ部７ｅ，７ｅと、コアンダ部７ｅ，７ｅから延設した前後一対の裾部７ｆ，７ｆと、コアンダ部７ｅ，７ｅに面する吹出し口７ｃ，７ｃとをノズル箱本体７ａに形成してある。前側の吹出し口７ｃは、通路上流側（前側）のガイドロール６に接するウエブ通路Ｒの巻掛け領域Ｒｂにおける上流側縁部近辺箇所Ｒｃへ向かって気体を吹き付け、また、後側の吹出し口７ｃは、通路下流側（後側）のガイドロール６に接するウエブ通路Ｒの巻掛け領域Ｒｂにおける下流側縁部近辺箇所Ｒｃへ向かって気体を吹き付けるようになっている。巻掛け用気体吹付け具７は、両側の吹出し口５７ｃ，５７ｃから吹出した気体が、各コアンダ部５７ｅのコアンダ効果で気体案内面部７ｄへ向かうように方向転換して、走行するウエブＷと気体案内面部７ｄの間に、ウエブ通路Ｒの他方面Ｒｄ側の静圧に比べてプラス側に大きいプラス静圧を生じさせ、このプラス静圧でウエブＷを二本のガイドロール６，６の各外周面６ａに圧着させて、ガイドロール６にウエブＷを滑らすことなくウエブＷを確実にガイドさせることができる。なお、巻掛け用気体吹付け具７は、隣接するガイドロール６，６の間へ向かって気体を吹出させる複数個の吹出し孔７ｊを気体案内面部７ｄに開設して、隣接するガイドロール６，６に跨がるウエブＷに気体を吹付けることで、ガイドロール６の外周面に対するウエブＷの巻掛け長さ寸法を増大させるようにすることも可能である。図１１において、巻掛け用気体吹付け具７を除く他の構成については、図６に示す前記構成と実質的に同一であり、同一符号は同一の構成部材等を示している。
【００５０】
蛇行修正装置４の巻掛け用気体吹付け具７は、図１１に示す如く気体案内面部７ｄを平坦に形成する以外に、図１２に示す如く、気体案内面部７ｄを彎曲形成して気体案内面部７ｄと各ガイドロール６の外周面６ａとの距離を略一定にすることで、各ガイドロール６の外周面６ａに気体案内面部７ｄを接近可能にして、気体案内面部７ｄの前後全域とウエブＷとの間に大きなプラス静圧を生じさせ、ウエブＷを各ガイドロール６の外周面６ａへ確実に圧着させるようにすることもある。
【００５１】
図１３に示す蛇行修正装置４のウエブ案内装置１３は、ウエブ通路Ｒの他方面Ｒｄに接触するように平行に配置された三本のガイドロール６，６，６と、これらガイドロール６に対してウエブ通路Ｒの反対側に配置され、隣接するガイドロール６，６の二箇所の隙間Ｊ，Ｊを吸引状態とする吸引具５と、ウエブ通路Ｒの一方面外側（上側）からウエブ通路Ｒの一方面Ｒｗに向かって気体を吹き付け、ウエブ通路Ｒにガイドロール６の外周面６ａに沿う巻掛け領域Ｒｂを形成させてウエブ通路Ｒと非接触になる巻掛け用気体吹付け具７とを備えている。巻掛け用気体吹付け具７は、図６に示す巻掛け用気体吹付け具７に比べ、ガイドロール６が増加した分だけ中間のノズル７ｂを増加させてある。なお、ウエブ案内装置１３は、図示は省略したが、ガイドロール６を四本以上のｎ本にすると共に、（ｎ−１）箇所の隙間Ｊを吸引具５で吸引し、（ｎ＋１）個のノズル７ｂを設けることも可能である。
【００５２】
図１４に示す蛇行修正装置４のウエブ案内装置１３は、図１１に示す蛇行修正装置４に比べ、ガイドロール６を増加させて三本にすると共に、隣接するガイドロール６，６の二箇所の隙間Ｊ，Ｊを吸引具５で吸引状態にし、ガイドロール６の増加分だけ巻掛け用気体吹付け具７の気体案内面部７ｄの前後長さを長くして、走行するウエブＷと気体案内面部７ｄの間に生じるプラスの静圧でウエブＷを三本のガイドロール６，６，６の各外周面６ａに圧着させるよにしてある。なお、ウエブ案内装置１３は、図示は省略したが、ガイドロール６を四本以上のｎ本にすると共に、ｎ−１箇所の隙間Ｊを吸引具５で吸引し、ガイドロール６の増加分だけ巻掛け用気体吹付け具７の気体案内面部７ｄの前後長さを長くすることも可能である。
【００５３】
蛇行修正装置４の巻掛け用気体吹付け具７は、図１４に示す如く気体案内面部７ｄを平坦に形成する以外に、図１５に示す如く、気体案内面部７ｄを彎曲形成して気体案内面部７ｄと各ガイドロール６の外周面６ａとの距離を略一定にすることで、各ガイドロール６の外周面６ａに気体案内面部７ｄを接近可能にして、気体案内面部７ｄの前後全域とウエブＷとの間に大きなプラス静圧を生じさせ、ウエブＷを各ガイドロール６の外周面６ａに確実に圧着させるようにすることもある。
【００５４】
本発明浮揚乾燥設備１は、ウエブ通路Ｒを走行して乾燥室２ａを通過中のウエブの蛇行修正を行うときに、図３に示す如く、乾燥室２ａのノズル箱３から吹き付けられてウエブＷの表面を通過する気体の移動状況に変化を生じさせないことから、塗膜の幅方向における乾燥状態の均一性を保持できると共に、図６及び図９に示す如く、蛇行修正装置４を通過しているウエブＷの塗着面側と蛇行修正装置４との接触がないため、塗膜に傷等の欠陥を生じさせることもない。また、本発明浮揚乾燥設備１は、蛇行修正室４ａの室内４ｂが蛇行修正室４ａの仕切壁部４ｃ、連結板９及び接合筒部１０で気密状に囲まれているため、乾燥室２ａの室内２ｂから蛇行修正室４ａの室内４ｂへ移動した気体を外部へ漏洩させることがなく、乾燥室２ａ及び蛇行修正室４ａの室外における作業環境を悪化させることもない。
【００５５】
更に、本発明浮揚乾燥設備１は、蛇行修正室４ａの室内４ｂにおける各ガイドロール６の外周面６ａの温度値が乾燥室２ａから送り出されるウエブＷの温度値Ｔ２を越えることがないため、ウエブＷに接触するガイドロール６でウエブＷを異常に昇温させることもなく、ウエブＷに加熱による熱的収縮等のダメイジを与えることがない。
【００５６】
（第２の実施の形態）
図１６に示す第２の実施の形態に係る本発明浮揚乾燥設備６１は、蛇行修正装置４を介して隣接する乾燥室２ａ，２の配置を前側から後側へ向かって下り傾斜させた点が、隣接する乾燥室２ａ，２の配置を前側から後側へ向かって一直線とした前記第１の実施の形態（図３参照）と大きく異なり、その他の部分については第１の実施の形態と実質的に同一であり、図１６において図１乃至図１０と同一符号は相当部分を示す。
【００５７】
本例の本発明浮揚乾燥設備６１は、蛇行修正装置４を介して隣接する乾燥室２ａ，２ａが、各乾燥室２ａの一方側のノズル箱３及び他方側のノズル箱３の間でウエブ通路Ｒに沿って延びる仮想平面Ｐについて、仮想平面Ｐ，Ｐどうしを交差角度θ（例えば、１〜３０度の範囲で選択される角度）で交差させてある。なお、本例の本発明浮揚乾燥設備６１は、蛇行修正装置４のウエブ案内装置１３を図１１乃至図１５に示すウエブ案内装置１３のいずれかに変更することも可能である。
【００５８】
本例の本発明浮揚乾燥設備６１は、隣接する乾燥室２ａ，２の仮想平面Ｐ，Ｐどうしを交差させることで、隣接する乾燥室２ａ，２を屈折させた状態で連ねることができ、ウエブＷの耳端カール防止、又は建物の内部の構造に乾燥室２ａ，２ａの配置を対応させることができる。
【００５９】
（第３の実施の形態）
図１７に示す第３の実施の形態に係る本発明浮揚乾燥設備７１は、蛇行修正装置４を介して隣接する乾燥室２ａ，２ａの配置を前側から後側へ向かって上り傾斜させた点が、隣接する乾燥室２ａ，２の配置を前側から後側へ向かって一直線とした前記第１の実施の形態（図３参照）と大きく異なり、その他の部分については第１の実施の形態と実質的に同一であり、図１７において図１乃至図１０と同一符号は相当部分を示す。
【００６０】
本例の本発明浮揚乾燥設備７１は、蛇行修正装置４を介して隣接する乾燥室２ａ，２ａが、各乾燥室２ａの一方側のノズル箱３及び他方側のノズル箱３の間でウエブ通路Ｒに沿って延びる仮想平面Ｐについて、仮想平面Ｐ，Ｐどうしを交差角度θ（例えば、１〜３０度の範囲で選択される角度）で交差させてある。なお、本例の本発明浮揚乾燥設備６１は、蛇行修正装置４のウエブ案内装置１３を図１１乃至図１５に示すウエブ案内装置１３のいずれかに変更することも可能である。
【００６１】
本例の本発明浮揚乾燥設備７１は、隣接する乾燥室２ａ，２の仮想平面Ｐ，Ｐどうしを交差させることで、隣接する乾燥室２ａ，２を屈折させた状態で連ねることができ、ウエブＷの耳端カール防止、又は建物の内部の構造に乾燥室２ａ，２ａの配置を対応させることができる。
【００６２】
（第４の実施の形態）
図１８乃至図２０は第４の実施の形態に係る本発明浮揚乾燥設備８１を示すものであって、本例の本発明浮揚乾燥設備８１が前記第１の実施の形態に係る本発明浮揚乾燥設備１（図１乃至図１０）と大きく異なる点は、蛇行修正装置４のウエブ案内装置８３である。ウエブ案内装置８３は、第１の実施の形態に係るウエブ案内装置１３の巻掛け用気体吹付け具７（図６参照）を設けることなく、左右の連結板９，９を連結フレーム１５，１５で連結した支持具１６と、支持具１６の連結フレーム１５，１５に取付けた二本のガイドロール６，６及び吸引具５とで構成したことである。
【００６３】
本例の本発明浮揚乾燥設備８１は、図１８に示す如く、前後方向へ延びて一方面Ｒｗが塗着面側で他方面Ｒｄが非塗着面側となるウエブ通路Ｒの両面に一方側及び他方側のノズル箱３から気体を吹き付ける乾燥室２ａの二つを隣接させた浮揚乾燥装置２と、隣接する乾燥室２ａ，２ａの間に配置された蛇行修正装置４とを備え、蛇行修正装置４が、図２０に示すウエブ通路Ｒの他方面Ｒｄに接触するように平行に配置された複数本のガイドロール６（同図（Ａ）は二本の場合を示し、同図（Ｂ）は三本の場合を示している）と、これらガイドロール６に対してウエブ通路Ｒの反対側に配置され、隣接するガイドロール６，６の隙間を吸引状態とする吸引具５と、これらガイドロール６及び吸引具５を左右方向に対して傾動させる傾動操作具８（図１９参照）とを備えている。
【００６４】
ウエブ案内装置８３を構成するガイドロール６、吸引具５及び支持具１６の内容は、前記第１の実施の形態に係るガイドロール６、吸引具５及び支持具１６と実質的に同一であるため、ここでの説明を省略する。
【００６５】
蛇行修正装置４用の気体循環装置２５は、図１８に示す如く、蛇行修正室４の室内４ｂと吸引具５とを連通させる循環通路３４と、循環通路３４の上流側に配置した循環ファン３５と、循環通路３５の下流側に配置した温度調節器付きの加熱器３６と、循環通路２５に接合した風量調節用ダンパ付き排気路３８と、循環通路３４における排気路３８よりも下流側に設けた風量調節用ダンパ付き新鮮気体取入れ具３７とを備え、循環通路３４の上流側となる吸気側３４ａを吸引具５の吸引空間部５ａ（図２０参照）に連通させ、循環通路３４の下流側となる送気側３４ｂを蛇行修正室内４ｂに連通させてある。気体循環装置２５は、加熱器３６を温度調節して、蛇行修正室内４ｂに供給する気体の温度値Ｔ４を制御することで、蛇行修正室内４ｂにおける二本のガイドロール６，６の周囲の気体の温度を、乾燥室２ａから送り出されるウエブＷの温度値Ｔ２以下にできるようにしてある。気体循環装置２５は、二本のガイドロール６，６の何れか一方又は両方におけるウエブが巻掛けられていない外周面近傍に温度センサー３９を配置し、温度センサー３９で検知した温度値（ガイドロール外周面６ａの温度値）が乾燥室２ａから送り出されるウエブＷの温度値Ｔ２を越えないで温度値Ｔ２に近づくように、加熱器３６を温度調節するようにしてある。蛇行修正室内４ｂへ進入するウエブＷの温度値Ｔ２は、蛇行修正室内４ｂに配置した非接触式の温度センサー（図示略）で検知するとよい。気体循環装置２５は、乾燥室２ａの室内２ｂの気体を蛇行修正室４の室内４ｂへ流入させないように、排気路３８及び新鮮気体取入れ具３７の各ダンパ開度を調節することで、蛇行修正室４の室内４ｂの気体の静圧を隣接する乾燥室２ａ，２ａの各室内２ｂの気体の静圧と同等又は若干高くして、乾燥室内２ｂの気体を蛇行修正室内４ｂへ流入するのを阻止することで、二本のガイドロール６，６の周囲の気体を温度値Ｔ２以下にすることを確保させるようにしてある。また、気体循環装置２５は、排気路３８及び新鮮気体取入れ具３７の各ダンパ開度を調節することで、蛇行修正室内４ｂに所定濃度以上の溶媒蒸気を充満させないようにしてある。
【００６６】
本発明浮揚乾燥設備８１は、ウエブ通路Ｒを走行して乾燥室２ａを通過中のウエブの蛇行修正を行うときに、図１８に示す如く、乾燥室２ａのノズル箱３から吹き付けられてウエブＷの表面を通過する気体の移動状況に変化を生じさせないことから、塗膜の幅方向における乾燥状態の均一性を保持できると共に、蛇行修正装置４のウエブ案内装置８３を通過しているウエブＷの塗着面側とウエブ案内装置８３との接触がないため、塗膜に傷等の欠陥を生じさせることもない。また、本発明浮揚乾燥設備８１は、図１９に示す如く、蛇行修正室４ａの室内４ｂが蛇行修正室４ａの仕切壁部４ｃ、連結板９及び接合筒部１０で気密状に囲まれているため、乾燥室２ａの室内２ｂから蛇行修正室４ａの室内４ｂへ移動した気体を外部へ漏洩させることがなく、乾燥室２ａ及び蛇行修正室４ａの室外における作業環境を悪化させることもない。
【００６７】
更に、本発明浮揚乾燥設備８１は、蛇行修正室４ａの室内４ｂにおける各ガイドロール６の外周面６ａの温度値が乾燥室２ａから送り出されるウエブＷの温度値Ｔ２を越えることがないため、ウエブＷに接触するガイドロール６でウエブＷを異常に昇温させることもなく、ウエブＷに加熱による熱的収縮等のダメイジを与えることがない。
【００６８】
（その他の実施の形態）
本発明浮揚乾燥設備は、図１６に示す本発明浮揚乾燥設備６１及び図１７に示す本発明浮揚乾燥設備７１の各蛇行修正装置４のウエブ案内装置１３を、図２０に示すウエブ案内装置８３に置換することも可能である。ウエブ案内装置８３に置換する場合の気体循環装置２５は、図１８に示す第４の実施の形態の如く、循環通路３４の吸気側３４ａを吸引具５に連通させると共に、送気側３４ｂを蛇行修正室内４ｂに連通させるとよい。
【符号の説明】
【００６９】
１（６１，７１，８１）…本発明乾燥設備、２…浮揚乾燥装置、２ａ…乾燥室、２ｂ…室内、２ｃ…仕切壁部、２ｄ…開口部、２ｅ…開口部、３…ノズル箱、４…蛇行修正装置、４ａ…蛇行修正室、４ｂ…室内、４ｃ…仕切壁部、４ｄ…開口部、５…吸引具、５ａ…吸引空間部、６…ガイドロール、６ａ…外周面、７…巻掛け用気体吹付け具、７ａ…ノズル箱本体、７ｂ…ノズル、７ｃ…吹出し口、７ｄ…気体案内面部、７ｅ…コアンダ部、７ｆ…裾部、７ｈ…整流具、７ｉ…支持枠、７ｊ…吹出し孔、８…傾動操作具、９…連結板、９ａ…支持部、１０…接合筒部、１１…立上げ支持フレーム、１１ａ…覗き開口部、１２…支持脚、１３…ウエブ案内装置、１４…軸受（ガイドロール６用）、１５…連結フレーム、１６…支持具、１７…気体案内板、１７ａ…平坦部、１７ｂ…裾部、１７ｃ…コアンダ部、１８…気体噴出スリット、１９…給気ダクト、２０…給気ダクト、２１…（可撓性）ダクト、２３…検知器、２４…気体循環装置（浮揚乾燥装置用）、２５…気体循環装置（蛇行修正装置用）、２６…循環通路、２７…循環ファン、２８…加熱器、２９…新鮮気体取入れ具、３０…排気路、３１…排気装置、３２…排気ファン、３３…集合排気ダクト、３４…循環通路、３４ａ…吸気側、３４ｂ…送気側、３５…循環ファン、３６…加熱器、３７…新鮮気体取入れ具、３８…排気路、３９…温度センサー、４０…スライダー、４１…レール、４２…原動部、４３…軸支、４４…凹溝部材、４４ａ…側板部、４４ｂ…底板部、４４ｃ…吸引口、４５…長手シール部材、４６…短手シール部材、４７…間隔調整装置、４８…移動操作用螺子、４８ａ…一方螺子、４８ｂ…他方螺子、４９…軸支、５０…軸継手、５１…延長棒、５２…回転操作用ハンドル、５３…支持部材、５３ａ…連結部、５３ｂ…ブラケット、５３ｃ…螺子、５３ｄ…、５４…（可撓性）ダクト、５６…点検扉、５７…点検窓、５８…検知器用操作ハンドル、８３…ウエブ案内装置、Ｄ…ガイドロール６の回転中心線、Ｅ…設備の左右方向、Ｇ…気体、Ｊ…隙間、Ｌ１…節（５，６，７，１６）、Ｌ２…節（４０）、Ｌ３…節（４０）、Ｌ４…節（４１，４１）、Ｍ１，Ｍ２…瞬間中心Ｏを求める直線、Ｎ１…ノズル群（一方側である上側）、Ｎ２…ノズル群（他方側である下側）、Ｏ…交点（瞬間中心）、Ｐ…仮想平面、Ｒ…ウエブ通路、Ｒｂ…巻掛け領域、Ｒｃ…縁部近辺箇所、Ｒｄ…他方面（非塗着面側）、Ｒｅ…跨ぎ箇所、Ｒｗ…一方面（塗着面側）、Ｓ…隣接するノズルの間隔の寸法、Ｔ１…ノズル箱３の吹き付ける気体の温度値、Ｔ２…ウエブ温度値、Ｔ３…乾燥室内２ｂの温度値、Ｔ４…巻掛け用気体吹付け具７の吹き付ける気体の温度値、Ｗ…ウエブ、θ…交差角度、β１，β２…傾動角度
【図１】
0005395145.tif 000002
【図２】
0005395145.tif 000003
【図３】
0005395145.tif 000004
【図４】
0005395145.tif 000005
【図５】
0005395145.tif 000006
【図６】
0005395145.tif 000007
【図７】
0005395145.tif 000008
【図８】
0005395145.tif 000009
【図９】
0005395145.tif 000010
【図１０】
0005395145.tif 000011
【図１１】
0005395145.tif 000012
【図１２】
0005395145.tif 000013
【図１３】
0005395145.tif 000014
【図１４】
0005395145.tif 000015
【図１５】
0005395145.tif 000016
【図１６】
0005395145.tif 000017
【図１７】
0005395145.tif 000018
【図１８】
0005395145.tif 000019
【図１９】
0005395145.tif 000020
【図２０】
0005395145.tif 000021